(57)【要約】【目的】操作性と互換性の向上とコストダウンを図ることができる画像印刷システムを提供すること。【構成】画像記録装置と該装置が一体結合可能な印刷装置とから成る画像印刷システムにおいて、前記画像記録装置は、印刷装置に対して記録済み画像データを提供するための画像データ送受信部と、印刷装置の映像信号を受け取るための映像受信部と、前記映像信号を表示するための映像表示部を具備し、前記印刷装置は、画像記録装置から画像データを受け取るための画像データ送受信部と、画像記録装置の表示画面に映像データを送信するための映像送信部を具備する。【選択図】　　　図４
2004135117.tif 000002
【特許請求の範囲】
【請求項１】
画像記録装置と該装置が一体結合可能な印刷装置とから成る画像印刷システムにおいて、
前記画像記録装置は、印刷装置に対して記録済み画像データを提供するための画像データ送受信部と、印刷装置の映像信号を受け取るための映像受信部と、前記映像信号を表示するための映像表示部を具備し、前記印刷装置は、画像記録装置から画像データを受け取るための画像データ送受信部と、画像記録装置の表示画面に映像データを送信するための映像送信部を具備することを特徴とする画像印刷システム。
【請求項２】
前記印刷装置は、グラフィックユーザーインターフェース（ＧＵＩ）を含む映像信号を生成するためのグラフィックコントローラを具備することを特徴とする請求項１記載の画像印刷システム。
【請求項３】
前記印刷装置は、前記画像記録装置への電源を供給するための電源供給ユニットを具備することを特徴とする請求項１記載の画像印刷システム。
【請求項４】
前記画像記録装置は、前記印刷装置から供給される電源により内蔵電池を充電するための充電ユニットを具備することを特徴とする請求項３記載の画像印刷システム。
【発明の詳細な説明】
【０００１】
【発明の属する技術分野】
本発明は、インクジェットプリンタ等の印刷装置とこれに一体結合可能なデジタルカメラ等の画像記録装置とから成る画像印刷システムに関する。
【０００２】
【従来の技術】
従来、デジタルカメラ等の画像記録装置で記録した画像データをインクジェットプリンタ等の印刷装置で出力する方法としては、パソコンと画像記録装置間、パソコンと印刷装置間のそれぞれをケーブルで接続し、画像記録装置の画像を一旦パソコン上に転送後、印刷装置で印刷する方法が一般的であった。この場合、パソコン上で画像の編集が行えるという利点がある。
【０００３】
又、画像記録装置はコンパクトフラッシュ等のフラッシュメモリー媒体に画像を保存できるものが一般的であり、又、パソコンもＰＣＭＣＩＡカードスロット等を備え、メモリーカード内に保存された画像データを読み出すことが可能なものが広く普及しているため、画像記録装置とパソコン間はメモリーカードを媒体とする場合も多い。
【０００４】
又、最近では、印刷装置自体にメモリカード用のスロットを備え、メモリカードに保存された画像を直接印刷できる印刷装置も普及しつつあり、この場合はパソコンを介することなく画像記録装置で記録した画像を印刷装置で印刷することが可能である。
【０００５】
その他、画像記録装置と印刷装置とを物理的な接続ケーブル又は赤外線通信や無線通信を用いてダイレクトに接続する方法があるが、これも同様にパソコンを介することなく画像記録装置で記録した画像を印刷装置で印刷することが可能である。
【０００６】
【発明が解決しようとする課題】
上述したように、デジタルカメラ等の画像記録装置で記録したデータをインクジェットプリンタ等の印刷装置で印刷するには、ケーブル接続する方法、パソコンを介する方法、メモリー媒体等を介する方法があるが、物理的なケーブルを用いる方法の場合、ケーブル配線が煩雑になるといった問題がある。又、赤外線通信や無線通信を使用する方法では、通信速度に制限があり、比較的データサイズの大きい画像を扱う場合、転送時間が掛かるといった問題がある。
【０００７】
又、パソコンを介する方法では、印刷装置や画像記録装置をパソコンに接続する場合に、専用のデバイスドライバをパソコンにインストールする必要がある場合も多く、初心者ユーザーにとって操作が難しいっといった問題がある。
【０００８】
メモリーカードを用いる方法では、印刷設定をデジタルカメラ側で行い、この印刷設定情報をメモリカード内にファイルとして保存する方法があるが、この場合、印刷装置の対応している用紙サイズや解像度情報等の装置固有の情報を印刷設定に用いるため、画像記録装置及び印刷装置間での互換性を維持する必要があった。
【０００９】
又、メモリカードを用いる別の方法として、印刷装置側で印刷設定、印刷画像の選択等をすべて行う方法があるが、この方法の場合、印刷設定のためのＧＵＩ表示、印刷装置の状態表示、エラー表示、印刷前の確認表示等を行うためには、印刷装置側に液晶パネル等の表示装置を有する必要がある。これにより安価な印刷装置を提供することが困難となる。
【００１０】
本発明は上記問題に鑑みてなされたもので、その目的とする処は、操作性と互換性の向上とコストダウンを図ることができる画像印刷システムを提供することにある。
【００１１】
【課題を解決するための手段】
上記目的を達成する、本発明は、画像記録装置と該装置が一体結合可能な印刷装置とから成る画像印刷システムにおいて、前記画像記録装置は、印刷装置に対して記録済み画像データを提供するための画像データ送受信部と、印刷装置の映像信号を受け取るための映像受信部と、前記映像信号を表示するための映像表示部を具備し、前記印刷装置は、画像記録装置から画像データを受け取るための画像データ送受信部と、画像記録装置の表示画面に映像データを送信するための映像送信部を具備することを特徴とする。
【００１２】
ここで好ましくは、前記印刷装置は、ＧＵＩを含む映像信号を生成するためのグラフィックコントローラを有する。
【００１３】
又、好ましくは、前記印刷装置は、前記画像記録装置への電源を供給するための電源供給ユニットを有する。
【００１４】
更に、好ましくは、前記画像記録装置は、前記印刷装置から供給される電源により内蔵電池を充電するための充電ユニットを有する。
【００１５】
【発明の実施の形態】
以下に本発明の実施の形態を添付図面に基づいて説明する。
【００１６】
本実施の形態では、画像記録装置をデジタルカメラ、印刷装置をカラーインクジェットプリンタでそれぞれ構成した場合の例について説明する。又、本実施の形態では、画像記録装置の映像表示部は液晶パネルを用いた。
【００１７】
図１及び図２は本実施の形態によるデジタルカメラ及びインクジェットプリンタの概観図である。
【００１８】
図１において、デジタルカメラ１００は液晶パネル１０１と撮像のためのシャッターボタン１０２、モード切り替え等を行うための操作部１０３、メモリカードを接続するためのカードスロット１０４及びメモリカード１０５、インクジェットプリンタと一体結合するための接続部１０６を有する。尚、図１の背面には撮像のためのレンズ等が含まれるが、簡略化のために図示を省略する。
【００１９】
図２において、インクジェットプリンタ２００は、デジタルカメラと接続を行うための接続部２０１と印刷設定を行うための操作部２０２、電源ボタン２０３、リセットボタン２０４を有する。又、フロントカバー２０５は開閉可能で、内部には記録ヘッド、インクタンクを含むキャリッジ及びキャリッジモーター等で構成される印刷エンジンを有する（不図示）。そして、プリンタの上部には用紙トレイ２０６、前面には排紙トレイ２０７を有する。
【００２０】
又、図２に示すように、デジタルカメラ２０８は、図の矢印２０９方向に挿入することで、インクジェットプリンタの接続部２０１に接続可能である。
【００２１】
図３はインクジェットプリンタの操作部２０２の拡大図である。操作方法の詳細については後述する。
【００２２】
図４は上記ディジタルカメラとインクジェットプリンタとを一体結合して構成される画像印刷システムの構成を示すブロック図である。
【００２３】
図４において、画像印刷システムは、デジタルカメラ４００とインクジェットプリンタ４０１とから構成される。以下、デジタルカメラ４００について説明する。
【００２４】
撮像部４０２は、レンズ、ミラー、ＣＣＤデバイス、カラーフィルタ、ＣＣＤドライバ、増幅回路、Ａ／Ｄ変換回路等で構成され、デジタル映像信号を生成するために用いられる。
【００２５】
又、撮像部４０２にはフラッシュやＡＥ（自動露出）／ＡＦ（オートフォーカス）等の撮像のための装置及びその制御回路や、ホワイトバランス処理、γ補正処理等の画像信号処理回路も含まれるが、これらは周知の技術であり、説明を簡略化するため省略する。
【００２６】
ＬＬＣＤコントローラ４０３は、撮像部４０２から送られたデジタル映像信号又は記憶媒体４１１に保存された画像等をＮＴＳＣ方式のコンポジット信号に変換し液晶パネル４０４に表示する。
【００２７】
液晶パネル４０４は、ＴＦＴカラーディスプレイであり、ＬＣＤコントローラ４０３とＮＴＳＣインターフェースで接続されている。この液晶パネル４０４は、ビューファインダーとしてのカラー画像と、記憶媒体４１１に記録されているカラー画像の表示、又は後述するインクジェットプリンタ４０１から送られる映像信号の表示を行う。
【００２８】
グラフィックコントローラ４０５は、デジタルカメラの設定に使用するＧＵＩ映像データを生成するために用いられる。このＧＵＩ映像データは、メインメモリ４１２上にあるグラフィックデータ、テキストデータ及び記憶媒体４１１に保存されている画像データ等を用いて生成され、ＬＣＤコントローラ４０３を介して液晶パネル４０４に表示される。
【００２９】
組み込みＣＰＵ４１０は、組み込み用マイクロプロセッサーであり、ＬＣＤコントローラ４０３、グラフィックコントローラ４０５、メインメモリ４１２、ＩＯポート４０９を含むデジタルカメラ全体の回路を制御する。
【００３０】
シャッターＳＷ４０６は、撮像タイミングを通知するための装置である。
【００３１】
シャッターボタンの操作完了でＯＮとなり、ＩＯポート４０９を介してＯＮ状態が組み込みＣＰＵ４１０に送られる。このとき、撮像部４０２で生成した映像データがメインメモリ４１２に蓄えられ、圧縮処理等が施され記憶媒体４１１に保存される。
【００３２】
操作部４０７は、現在の撮影モードを設定したり、現在記憶媒体４１１に保存済みの画像データに対する操作（回転、コントラスト等の画像処理）を行うためのユーザーインターフェースである。操作部４０７で設定された撮影モードがＩＯポート４０９を介して組み込みＣＰＵ４１０に送られ、メインメモリ４１２に蓄えている現在の撮影モード情報を変更する。
【００３３】
外部端子４０８は、デジタルカメラと例えばパソコンのような外部機器との間で、ＵＳＢやＩＥＥＥ１３９４インターフェースを用いて画像転送等のための通信に用いられる。メインメモリ４１２はＲＯＭ及びＲＡＭから構成され、画像データ、現在の撮影モード情報、制御プログラム等の一時格納領域である。
【００３４】
記憶媒体４１１は、例えばコンパクトフラッシュ等のメモリカード、カードインターフェース回路及びメモリカードコントローラで構成され、撮影した画像データの保存領域として用いられる。又、記憶媒体はＭＳ−ＤＯＳシステム等のファイルシステムで実装され、画像データは画像ファイルとしてメモリカード上に保存される。
【００３５】
データ送受信部４１３は、記憶媒体４１１に保存されている画像データを接続端子４１６を介してインクジェットプリンタへ送信する。又、インクジェットプリンタ側からの画像データの変更（書き込み）を行うためにも用いられる。
【００３６】
このデータ送受信方法は例えばＡＴＡ規格のような標準規格に準拠した方法で実装することにより、高い互換性を維持することができる。
【００３７】
又、データ送受信部４１３及びこれに関する接続端子の代わりとして記憶媒体４１１のカードインターフェース回路自体をインクジェットプリンタとの接続で用いることも考えられる。この場合、プリンタからダイレクトに記憶媒体４１１にアクセスすることが可能となるため処理が高速化される。この方法ではカードインターフェース回路にＰＣＭＣＩＡインターフェース回路を使用することができる。
【００３８】
映像受信部４１４は、インクジェットプリンタ４０１で生成されるＮＴＳＣ方式のコンポジット映像信号を接続端子４１６を介して受信し、ＬＣＤコントローラ４０３を介して液晶パネル４０４に映像を表示する。
【００３９】
電源管理部４１５は、デジタルカメラ４００に内蔵されている内蔵電池と、内蔵電池を電源とするか、インクジェットプリンタから供給される電源を使用するかを切り替え制御する制御回路を有している。
【００４０】
デジタルカメラ４００がインクジェットプリンタ４０１と接続されている場合は、電源管理部４１５によりデジタルカメラ内についても、インクジェットプリンタから供給される電源を使用することで、デジタルカメラの内蔵電池の消費電力を抑えることができる。更に、デジタルカメラ４００の電源のＯＮ／ＯＦＦ切り替えについてもインクジェットプリンタ４０１の電源ボタン２０３の操作で行うこともできる。
【００４１】
又、電源管理部４１５は、充電ユニットを有している。充電ユニットは、デジタルカメラ４００がインクジェットプリンタ４０１と接続されている場合で、且つ、インクジェットプリンタ４０１の電源がＯＦＦ状態の場合、インクジェットプリンタ４０１から供給される電源を用いてデジタルカメラ内の内蔵電池を充電するために用いられる。
【００４２】
次に、図４のインクジェットプリンタ部４０１について説明する。
【００４３】
データ送受信部４１８は、デジタルカメラ４００の記憶媒体４１１に保存されている画像データを組み込み、ＣＰＵ４２３の制御により接続端子部４１７を介してメインメモリ４２６に読み出すために用いられる。
【００４４】
操作部４２８は、ディジタルカメラ４００側の液晶パネル４０４に表示される画像データの選択、印刷設定、印刷開始等を行うためのボタンから成り、ＩＯポート４２２を介してこれらの設定信号を組み込みＣＰＵ４２３に送信するために用いられる。
【００４５】
組み込みＣＰＵ４２３は、組み込み用のマイクロプロセッサーであり、印刷エンジン４３０、グラフィックコントローラ４２２、ＩＯポート４２７を含むインクジェットプリンタ４０１全体の回路の制御を行うため用いられる。
【００４６】
メインメモリ４２６は、ＲＯＭ及びＲＡＭから構成され、ＧＵＩのためのグラフィックデータ、テキストデータ、画像データ、印刷設定情報等の格納領域等に用いられる。
【００４７】
グラフィックコントローラ４２２は、デジタルカメラ４００の液晶パネル４０４に表示するＧＵＩを生成するために用いられる。メインメモリ４２６に格納されている現在の印刷設定情報、グラフィックデータ、テキストデータ及びディジタルカメラ４００の記憶媒体４１１から読み出した画像データ等からＧＵＩ映像データを生成し、映像送信部４１９に送信する。
【００４８】
映像送信部４１９は、グラフィックコントローラ４２２で生成したＧＵＩ映像データをＮＴＳＣ方式のコンポジット映像信号に変換するために用いられる。そして、映像信号は接続端子部４１７を介してディジタルカメラ４００側に送られ、液晶パネル４０４に表示される。
【００４９】
外部端子４２９は、例えばＵＳＢケーブル、ＩＥＥＥ１３９４ケーブル等の接続端子であり、パソコン等の外部機器からの印刷データの受信及びステータスの送信等に用いられる。
【００５０】
画像処理部４２４は組み込み型ＣＰＵ４２３の制御のもと、メインメモリ４２６に蓄積された画像データを例えばＹ（イエロー）、Ｍ（マゼンタ）、Ｃ（シアン）、Ｋ（ブラック）等の印刷エンジンで印刷可能な印刷データフォーマットに変換し、印刷メモリ４２５に展開する。
【００５１】
印刷メモリ４２５は、Ｙ，Ｍ，Ｃ，Ｋ各色の印刷データが複数ラスタ格納できるバッファとして用いられる。
【００５２】
印刷エンジン４３０は、記録ヘッド及びインクタンクから構成されるキャリッジと、これを駆動するためのキャリッジモーター、用紙を搬送するための搬送モーター及び各種センサから構成され、印刷メモリ４２５に展開されている印刷データを記録紙に印刷する。この印刷技術は周知の技術であり、説明を簡略化するため省略する。
【００５３】
電源部４２１はインクジェットプリンタ４０１の各機器への電源供給を行うと同時に、電源供給部４２０を通してデジタルカメラ４００側に対しても電源供給を行うために用いられる。
【００５４】
以下、本実施形態の画像印刷システムの動作を説明する。
【００５５】
但し、以下の説明ではディジタルカメラでの撮影は既に完了し、撮像部４０２により撮影した画像は画像ファイルとして記憶媒体４１１に既に保存されているものとする。
【００５６】
図６はデジタルカメラがインクジェットプリンタに一体結合され、インクジェットプリンタの主電源が投入されたときの画像印刷システムの処理を示すフローチャートである。以下、図６を用いて説明する。
【００５７】
インクジェットプリンタ側の主電源が投入されると、ステップ６０１でデジタルカメラの記録媒体４１１に蓄積された画像ファイルについての情報（ファイル数、各ファイルの名称、各ファイルのサイズ、各ファイルの日付等）をデータ送受信部４１３，４１８を通してインクジェットプリンタ側のメインメモリ４２６に取り込む。
【００５８】
ステップ６０２で画像の有無を判断し、画像が存在しない場合は、ステップ６０６へ進む。画像が存在する場合はステップ６０３へ進む。
【００５９】
ステップ６０３では取得した画像ファイル情報から画像ファイルをファイル名、日時等で順序づけし、先頭の画像ファイルのイメージデータを記憶媒体４１１から読み出し、解像度変換を施してプレビュー用の画像を作成、メインメモリ４２６に保存する。
【００６０】
ステップ６０４では、グラフィックコントローラ４２２を用いて前記プレビュー用の画像とメインメモリ上にあるグラフィックデータ及びテキストデータとからＧＵＩ映像を生成して映像送信部４１９に送る。
【００６１】
ステップ６０５では、映像送信部４１９は前記ＧＵＩ映像をＮＴＳＣ方式のコンポジット映像信号に変換し、デジタルカメラ４００の映像受信部４１４に送信する。映像受信部４１４は、送られた映像信号をＬＣＤコントローラ４０３を介して液晶パネル４０４に表示する。
【００６２】
図５に以上の処理で液晶パネル４０４に表示されるＧＵＩ映像の例を示す。図５のＧＵＩは、インクジェットプリンタで印刷を実行するための処理選択メニュー５０４〜５０５、画像のプレビューを表示するためのプレビュー表示部５０６から構成される。
【００６３】
処理選択メニューは、印刷実行５０１、印刷モード５０２、用紙サイズ５０３、用紙タイプ５０４、印刷品位５０５とから構成され、初期状態では印刷実行メニュー５０１が選択された状態（グレー表示）である。
【００６４】
印刷モード５０２は、インデックス印刷、割り付け印刷等を選択するためのメニューである。
【００６５】
用紙サイズ５０３は、はがきサイズ、Ａ４サイズ等の印刷用紙サイズを選択するためのメニューである。用紙タイプ５０４は、普通紙、高品位専用紙、光沢紙等の印刷対象メディアの種類を選択するためのメニューである。印刷品位５０５は、高速モード、標準モード、高品位モード等の印刷品位を選択するためのメニューである。これらのメニューはインクジェットプリンタの機種に依存する情報を設定するためのものであり、上記以外の設定項目を有しても良い。
【００６６】
又、プレビュー表示部５０６には、ステップ６０３で生成されたプレビュー用の画像が表示される。
【００６７】
図６のステップ６０８では、インクジェットプリンタの操作部４２８での操作内容に従ってＧＵＩの更新を行う。操作部４２８とＧＵＩとによる操作方法についての詳細は後述する。
【００６８】
ステップ６０９では、ステップ６０８での最終的な操作内容に従ってプレビュー画像変更６１０、印刷設定変更６１１、印刷実行６１２の３つの処理に分岐する。又、電源がＯＦＦされた場合はシステムを終了する。
【００６９】
ステップ６１０では、ステップ６０８で指定された画像ファイルについて、デジタルカメラの記憶媒体４１１からイメージデータを読み出し、プレビュー画像を生成、液晶パネルに表示する。これらは前記ステップ６０３、ステップ６０４、ステップ６０５と同様のため、詳細については省略する。
【００７０】
ステップ６１１では、現在の印刷設定情報の変更処理を実行する。メインメモリ４２６上に保存されている印刷モード、用紙サイズ、用紙タイプ、印刷品位の印刷設定情報をステップ６０８でＧＵＩと操作部を用いて設定された内容に従って更新する。
【００７１】
ステップ６１２では、ステップ６１０、ステップ６１１で設定された内容に従って印刷処理を実行する。メインメモリ４２６上に保存されている、印刷設定情報（印刷モード、用紙サイズ、用紙タイプ、印刷品位）に従って、選択されている画像ファイルのイメージデータをデジタルカメラ部の記憶媒体４１１からメインメモリ４２６上に読み出し、画像処理部４２４を用いて色補正、ＲＧＢ→ＹＭＣＫ変換等を実行、印刷メモリ４２５上に展開する。展開完了後、印刷エンジン４３０は印刷メモリ上の印刷データを記録紙に印刷する。
【００７２】
又、印刷中のプリンタの状態について、印刷の進行状況、紙無し、紙詰まり、インク切れ等のエラーステータスを示すＧＵＩを液晶パネルに表示することも可能である。
【００７３】
図６のステップ６０６及びステップ６０７はデジタルカメラの記憶媒体４１１に画像ファイルが存在していない場合の処理である。
【００７４】
ステップ６０６では、画像ファイルが存在しないことを通知するためのＧＵＩを生成し、液晶パネル４０４に表示する。この表示方法は前記ステップ６０３、ステップ６０４、ステップ６０５と同様のため、詳細については省略する。
【００７５】
ステップ６０７では、デジタルカメラの再接続を監視する処理を実行する。デジタルカメラがインクジェットプリンタから取り外されると、ステップ６０７で表示したＧＵＩを非表示にする。又、デジタルカメラが再接続されるとステップ６０１の処理に進む。
【００７６】
次に、前記図６のステップ６０８での、ＧＵＩとインクジェットプリンタの操作部を用いた印刷設定の変更処理について図３及び図５を用いて説明する。
【００７７】
図３において、操作部はＯＫボタン３０１と上下左右操作ボタン３０２から構成されている。
【００７８】
上下左右操作ボタン３０２のうち、左右への操作はプレビュー領域に表示する画像ファイルの変更に用いる。前述したように、デジタルカメラの記憶媒体４１１に保存されている画像ファイルは、ファイル名称等で順序付けがなされていて、初期状態では先頭の画像ファイルがＧＵＩのプレビュー表示部５０６に表示されている。
【００７９】
上下左右操作ボタン３０２を右に押下すると、ＧＵＩのプレビュー表示部５０６に次の画像を表示する。上下左右操作ボタン３０２を左に押下すると、ＧＵＩプレビュー表示部５０６に前の画像を表示する。
【００８０】
上下左右操作ボタン３０２のうち、上下への操作は、ＧＵＩに表示されているメニューの選択に使用され、ＯＫボタン３０１は選択されているメニューの実行に使用される。
【００８１】
上下左右操作ボタン３０２を上に押下すると、ＧＵＩのメニューで現在選択状態となっているメニューの上のメニューを選択状態にする。
【００８２】
上下操作ボタン３０２を下に押下すると、ＧＵＩのメニューで現在選択状態となっているメニューの下のメニューを選択状態にする。
【００８３】
ＯＫボタン３０１を押下すると、現在選択状態となっているメニューについての処理を実行する。
【００８４】
以下に図５を用いて用紙サイズを設定する場合の例について説明する。
【００８５】
メニューは初期状態で印刷実行メニュー５０１が選択状態である。次に、操作ボタン３０１を下に押下すると印刷モードメニュー５０２が選択状態となり、続いて再度操作ボタン３０１を下に押下すると用紙サイズメニュー５０３が選択状態となる。このとき、ＯＫボタン３０２を押下すると図５の下側の図ように用紙サイズ詳細メニュー５０７〜５０９がＧＵＩに表示される。
【００８６】
用紙サイズ詳細メニューの初期状態では、現在設定されている用紙サイズが選択状態となる（図５の場合はＡ４メニュー５０８）。続いて操作ボタン３０１を上に押下するとはがきメニュー５０７が、下に押下するとＢ５メニュー５０９が選択状態となる。ここでＯＫボタンを押下すると、選択されている用紙サイズがメインメモリ４２６上の印刷設定として保存される。
【００８７】
尚、メニューの印刷モード５０２、用紙サイズ５０３、用紙タイプ５０４、印刷品位５０５の設定方法についても用紙サイズ５０３の場合と同様である。又、上述したＧＵＩ及び操作部の実装方法は単なる一例に過ぎず、本発明の内容を制限するものではない。
【００８８】
更に、本発明は画像記録装置としてデジタルカメラ以外の機器を接続することも可能である。例えば、ＰＤＡ等の液晶パネルを備えたモバイル端末を画像記録装置に適応しても良い。
【００８９】
又、印刷装置において映像送信部が送信する映像信号は、テレビ等の外部のディスプレイ装置で表示することもできる。
【００９０】
【発明の効果】
以上の説明で明らかなように、本発明によれば、画像記録装置を印刷装置に一体結合し、印刷装置の設定等を画像記録装置の表示画面で行うこと、特に表示内容についてはＧＵＩも含めて画像印刷装置側で生成することを可能にすることによって操作性と互換性を向上させ、且つ、コストを抑えた画像印刷システムを提供することができる。
【図面の簡単な説明】
【図１】デジタルカメラの概観図である。
【図２】インクジェットプリンタの概観図である。
【図３】インクジェットプリンタ操作部の拡大図である。
【図４】
本発明の構成を示すブロック図である。
【図５】
ＧＵＩ映像の例を示す図である。
【図６】
本発明に係る画像印刷システムの処理例を示すフローチャートである。
【符号の説明】
１０１　　　液晶パネル
１０２　　　シャッターボタン
１０３　　　操作部（デジタルカメラ側）
１０４　　　カードスロット
１０５　　　メモリーカード
１０６　　　接続部（デジタルカメラ側）
２０１　　　接続部（プリンタ側）
２０２　　　操作部（プリンタ側）
２０３　　　電源ボタン
２０４　　　リセットボタン
２０５　　　フロントカバー
２０６　　　給紙トレイ
２０７　　　排紙トレイ
２０８　　　デジタルカメラ
２０９　　　デジタルカメラ挿入方向
３０１　　　上下左右操作ボタン
３０２　　　ＯＫボタン
４００　　　インクジェットプリンタ部
４０１　　　デジタルカメラ部
４０２　　　撮像部
４０３　　　ＬＣＤコントローラ
４０４　　　液晶パネル
４０５　　　グラフィックコントローラ
４０６　　　シャッターＳＷ
４０７　　　操作部（デジタルカメラ側）
４０８　　　外部端子
４０９　　　Ｉ／Ｏポート
４０１　　　組み込みＣＰＵ
４１１　　　記憶媒体
４１２　　　メインメモリ（デジタルカメラ側）
４１３　　　データ送受信部
４１４　　　映像受信部
４１５　　　電源管理部
４１６　　　接続端子（デジタルカメラ側）
４１７　　　接続端子（プリンタ側）
４１８　　　データ送受信部
４１９　　　映像送信部
４２０　　　電源供給部
４２１　　　電源部
４２２　　　グラフィックコントローラ
４２３　　　組み込みＣＰＵ（プリンタ側）
４２４　　　画像処理部
４２５　　　印刷メモリ
４２６　　　メインメモリ（プリンタ側）
４２７　　　Ｉ／Ｏポート
４２８　　　操作部（プリンタ側）
４２９　　　外部端子
５０１　　　印刷実行メニュー
５０２　　　印刷モードメニュー
５０３　　　用紙サイズ
５０４　　　用紙タイプ
５０５　　　印刷品位
５０６　　　プレビュー表示部
５０７　　　はがきメニュー
５０８　　　Ａ４メニュー
５０９　　　Ｂ５ニュー
５１０　　　キャンセルメニュー
【図１】
2004135117.tif 000003
【図２】
2004135117.tif 000004
【図３】
2004135117.tif 000005
【図４】
2004135117.tif 000006
【図５】
2004135117.tif 000007
【図６】
2004135117.tif 000008